(57)【要約】【課題】フィルタに異物や液滴が残りにくくすることができ、フィルタの通気面積の減少を抑えることができるフィルタ装置、および、このフィルタ装置を備える電子装置を提供する。【解決手段】通気性および防液性を有するフィルタ装置を備える電子装置１０において、フィルタ装置１２は、電子装置１０の内外を連通する筒状の連通部２１と、電子装置１０の外部に設けられ、側面に連通部２１に通じる通気孔２２ａを有するフィルタ本体部２２と、フィルタ本体部２２の側面に取り付けられ、通気孔２２ａを覆うフィルタ２３と、を備える。【選択図】図１
2017101793.tif 000002
【特許請求の範囲】
【請求項１】
通気性および防液性を有するフィルタ装置（１２）を備える電子装置（１０）であって、
前記フィルタ装置は、
前記電子装置の内外を連通する筒状の連通部（２１）と、
前記電子装置の外部に設けられ、側面に前記連通部に通じる通気孔（２２ａ）を有するフィルタ本体部（２２）と、
前記フィルタ本体部の側面に取り付けられ、前記通気孔を覆うフィルタ（２３）と、
を備える電子装置。
【請求項２】
前記フィルタは、前記フィルタ本体部の側面に沿う帯状に設けられており、且つ、前記フィルタ本体部の側面に沿う寸法が前記フィルタ本体部の周長以下である請求項１に記載の電子装置。
【請求項３】
前記フィルタの外周面を保護する保護部材（４１）をさらに備える請求項１または２に記載の電子装置。
【請求項４】
前記フィルタ本体部の側面に複数の前記フィルタが取り付けられている請求項１から３の何れか１項に記載の電子装置。
【請求項５】
通気性および防液性を有するフィルタ装置（１２）であって、
前記フィルタ装置以外の他の装置に取り付けられた状態において前記他の装置の内外を連通する筒状の連通部（２１）と、
前記他の装置に取り付けられた状態において前記他の装置の外部に設けられ、側面に前記連通部に通じる通気孔（２２ａ）を有するフィルタ本体部（２２）と、
前記フィルタ本体部の側面に取り付けられ、前記通気孔を覆うフィルタ（２３）と、
を備えるフィルタ装置。
【請求項６】
前記フィルタは、前記フィルタ本体部の側面に沿う帯状に設けられており、且つ、前記フィルタ本体部の側面に沿う寸法が前記フィルタ本体部の周長以下である請求項５に記載のフィルタ装置。
【請求項７】
前記フィルタの外周面を保護する保護部材（４１）をさらに備える請求項５または６に記載のフィルタ装置。
【請求項８】
前記フィルタ本体部の側面に複数の前記フィルタが取り付けられている請求項５から７の何れか１項に記載のフィルタ装置。
【発明の詳細な説明】
【技術分野】
【０００１】
本発明は、電子装置、および、フィルタ装置に関する。
【背景技術】
【０００２】
例えば自動車に搭載される電子装置は、水や油などの液体から内部を保護するために、その外殻を構成するケースを密閉構造とすることが好ましい。しかし、ケースの密閉度を高めると、例えば温度変化に伴う内部の空気の膨張あるいは収縮によりケース内外に圧力差が発生し、ケースにかかる負荷が大きくなる。そのため、電子装置に通気性および防液性を有するフィルタ装置を備えることにより、装置内外の通気性を確保するとともに装置内部を液体から保護する技術が考えられている。
【０００３】
例えば特許文献１には、筒状の部材の上側の開口にフィルタを取り付けた通気栓が開示されている。この通気栓によれば、筒状の部材により装置内外の通気性を確保することができ、また、この筒状の部材を通して装置内部に液体が浸入してしまうことをフィルタにより防止することができる。
【先行技術文献】
【特許文献】
【０００４】
【特許文献１】国際公開第２０１０／０５３１２１号
【発明の概要】
【発明が解決しようとする課題】
【０００５】
しかし、上記の特許文献１の構成では、装置内外を連通する筒状の部材の上部にフィルタが水平に取り付けられた状態となる。そのため、フィルタの上面に異物や液滴が残りやすく、フィルタの通気面積の減少を抑えることができない。
【０００６】
そこで、本発明は、フィルタに異物や液滴が残りにくくすることができ、フィルタの通気面積の減少を抑えることができるフィルタ装置、および、このフィルタ装置を備える電子装置を提供する。
【課題を解決するための手段】
【０００７】
本発明に係る電子装置は、通気性および防液性を有するフィルタ装置を備える電子装置である。前記フィルタ装置は、前記電子装置の内外を連通する筒状の連通部と、前記電子装置の外部に設けられ、側面に前記連通部に通じる通気孔を有するフィルタ本体部と、前記フィルタ本体部の側面に取り付けられ、前記通気孔を覆うフィルタと、を備える。
【０００８】
本発明に係るフィルタ装置は、通気性および防液性を有するフィルタ装置である。このフィルタ装置は、フィルタ装置以外の他の装置に取り付けられた状態において前記他の装置の内外を連通する筒状の連通部と、前記他の装置に取り付けられた状態において前記他の装置の外部に設けられ、側面に前記連通部に通じる通気孔を有するフィルタ本体部と、前記フィルタ本体部の側面に取り付けられ、前記通気孔を覆うフィルタと、を備える。
【０００９】
この電子装置とフィルタ装置を組みあわせた構成によれば、フィルタは、電子装置の外部に設けられるフィルタ本体部の側面に取り付けられている。そのため、フィルタに付着する異物や液滴は、側面に沿って落下しやすく、フィルタに付着したまま停滞しにくくなる。よって、フィルタに異物や液滴が残りにくくなり、フィルタの通気面積の減少を抑えることができる。
【図面の簡単な説明】
【００１０】
【図１】第１実施形態に係るフィルタ装置を備える電子装置の構成例を概略的に示す斜視図
【図２】フィルタ装置の構成例を示す断面図
【図３】電子装置のケースに取り付けられたフィルタ装置の構成例を示す図
【図４】フィルタ本体部の側面にフィルタが取り付けられた状態例を示す図
【図５】第２実施形態に係るフィルタ装置の構成例を示す断面図
【図６】第３実施形態に係るフィルタ本体部の側面にフィルタが取り付けられた状態例を示す図（その１）
【図７】第３実施形態に係るフィルタ本体部の側面にフィルタが取り付けられた状態例を示す図（その２）
【発明を実施するための形態】
【００１１】
以下、電子装置およびフィルタ装置に係る複数の実施形態について図面を参照しながら説明する。なお、各実施形態において実質的に同一の要素には同一の符号を付し、説明を省略する。
【００１２】
（第１実施形態）
図１に例示する電子装置１０は、その外殻を構成するケース１１にフィルタ装置１２を備えている。電子装置１０は、フィルタ装置１２以外の他の装置の一例であり、例えば車両に搭載されるエンジンコントロール用の電子制御ユニットなどである。また、電子装置１０は、当該電子装置１０を接続するためのコネクタ１３を備える。図２および図３に例示するように、フィルタ装置１２は、連通部２１、フィルタ本体部２２、フィルタ２３を備える。フィルタ装置１２の各構成要素は、例えば樹脂材料で構成されている。
【００１３】
連通部２１は、筒状に設けられており、その中央に当該連通部２１を貫通する通気孔２１ａを有する。連通部２１は、ケース１１に設けられている取付孔１１ａに差し込まれた状態において電子装置１０の内外を連通する。連通部２１の先端部、つまり、取付孔１１ａに差し込まれる側の端部の外周部には爪部２１ｂが設けられている。爪部２１ｂは、ケース１１の裏面に係止して連通部２１、ひいてはフィルタ装置１２が電子装置１０から脱落してしまうことを防止する。
【００１４】
フィルタ本体部２２は、連通部２１の基端部、つまり、取付孔１１ａに差し込まれる側とは反対側の端部に一体的に設けられている。フィルタ本体部２２は、連通部２１よりも径大な円板状の部位となっている。フィルタ本体部２２は、連通部２１が取付孔１１ａに差し込まれた状態において電子装置１０の外部に位置する。フィルタ本体部２２は、その側面に連通部２１の通気孔２１ａに通じる通気孔２２ａを有する。この場合、フィルタ本体部２２は、複数の通気孔２２ａを有している。複数の通気孔２２ａは、フィルタ本体部２２の周方向に沿って等間隔で配列されている。通気孔２２ａは、矩形状に設けられており、それぞれ連通部２１中央の通気孔２１ａに通じている。
【００１５】
フィルタ２３は、フィルタ本体部２２の側面に取り付けられており、複数の通気孔２２ａを覆っている。フィルタ本体部２２に対するフィルタ２３の取り付けは、例えば粘着剤による貼り付けであってもよいし、溶着などであってもよい。フィルタ２３は、例えばフッ素系材料を含むフィルム状の部材であり、通気性および防液性を有している。フィルタ２３は、撥水性を有するものでもよいし、撥油性を有するものでもよいし、撥水性および撥油性の双方を有するものであってもよい。
【００１６】
また、ケース１１とフィルタ本体部２２との間には、シール部材３１が備えられる。シール部材３１は、例えばゴム材料などからなるいわゆるＯリングである。シール部材３１は、ケース１１とフィルタ本体部２２との間の気密性および水密性を確保する。
【００１７】
図４に例示するように、フィルタ２３は、フィルタ本体部２２の側面に沿う帯状に設けられている。また、フィルタ２３は、フィルタ本体部２２の側面に沿う寸法がフィルタ本体部２２の周長とほぼ同じ寸法となっている。従って、フィルタ２３は、その長手方向の両端部が重ならない状態でフィルタ本体部２２の側面に取り付けられる。なお、フィルタ２３は、フィルタ本体部２２の側面に沿う寸法がフィルタ本体部２２の周長と一致する寸法となるものであってもよい。また、フィルタ２３は、フィルタ本体部２２の側面に沿う寸法がフィルタ本体部２２の周長よりも若干短い寸法となるものであってもよい。この場合も、フィルタ２３の両端部を重ねることなくフィルタ本体部２２の側面に取り付けることができる。
【００１８】
本実施形態によれば、フィルタ２３は、電子装置１０のケース１１の外部に設けられるフィルタ本体部２２の側面に取り付けられている。そのため、例えば電子装置１０をいわゆる横置き、つまり、フィルタ本体部２２が上側に突出した状態となる態様あるいは下側に突出した状態となる態様で設置した場合には、フィルタ２３に付着しようとする異物や液滴は、フィルタ本体部２２の側面に沿って落下しやすく、フィルタ２３に付着したまま停滞しにくくなる。よって、フィルタ２３に異物や液滴が残りにくくなり、フィルタ２３の通気面積の減少を抑えることができる。
【００１９】
また、例えば電子装置１０をいわゆる縦置き、つまり、フィルタ本体部２２が側方に突出した状態となる態様で設置した場合であっても、フィルタ２３に付着しようとする異物や液滴は、フィルタ本体部２２の側面に沿って落下しやすく、従って、フィルタ２３に異物や液滴が残りにくくなり、フィルタ２３の通気面積の減少を抑えることができる。
【００２０】
即ち、本実施形態によれば、電子装置１０を横置きで設置しても縦置きで設置しても、フィルタ２３に異物や液滴が残りにくくすることができ、フィルタ２３の通気面積の減少を抑えることができる。従って、電子装置１０の設置態様が制約されることがない。
【００２１】
また、フィルタ２３は、フィルタ本体部２２の側面に沿う帯状に設ける場合には、上述の通り、フィルタ本体部２２の側面に沿う寸法をフィルタ本体部２２の周長以下の寸法とするとよい。即ち、帯状のフィルタ２３のフィルタ本体部２２の側面に沿う寸法をフィルタ本体部２２の周長よりも長くすると、フィルタ２３の長手方向の両端部が重なってしまい、その重なった部分の貼り付け強度が低下してフィルタ２３が剥がれやすくなる。本実施形態によれば、フィルタ２３の両端部を重ねることなくフィルタ本体部２２の側面に取り付けることができ、フィルタ２３の剥離を防止することができる。
【００２２】
（第２実施形態）
図５に例示するフィルタ装置４０は、保護部材４１を備える。保護部材４１は、フィルタ本体部２２よりも径大な筒状の保護壁部４２と、この保護壁部４２の一端側を閉塞する閉塞板部４３と、を備える。閉塞板部４３の内面の中央部には係止部４３ａが設けられている。係止部４３ａは、閉塞板部４３の中心に向かって爪状に形成されている。一方、フィルタ本体部２２の表面、つまり、連通部２１とは反対側の表面の中央部には凹部２２ｂが設けられている。そして、凹部２２ｂの中央部には、連通部２１の軸方向に沿って突出する突起部２２ｃが設けられている。突起部２２ｃの側面には、フィルタ本体部２２の周方向に沿う溝部２２ｄが設けられている。保護部材４１は、係止部４３ａを溝部２２ｄに係止させることにより、フィルタ本体部２２に固定される。
【００２３】
フィルタ本体部２２に保護部材４１が固定された状態では、フィルタ本体部２２の側面に取り付けられているフィルタ２３の外周面に対し、保護壁部４２の内面が若干隙間を有した状態で対向する。即ち、保護壁部４２は、フィルタ２３を外側から覆って当該フィルタ２３を保護する。また、フィルタ２３の外周面と保護壁部４２の内面との間に隙間が存在していることにより、フィルタ２３を通した空気の流路が確保される。よって、電子装置１０内外の通気性が損なわれることがない。
【００２４】
本実施形態によれば、フィルタ本体部２２の側面に取り付けられているフィルタ２３の外周面を保護部材４１により保護することができ、フィルタ２３の損傷や剥離などの不具合を防止することができる。
【００２５】
（第３実施形態）
図６に例示するフィルタ装置５０は、フィルタ本体部２２の側面に複数、この場合、２枚のフィルタ２３が取り付けられている。即ち、本実施形態では、フィルタ本体部２２の側面に１枚のフィルタ２３を貼り付ける上述の実施形態に比べ、１枚当たりのフィルタ２３の貼り付け面積が小さくなっている。フィルタ本体部２２が小型であるほど、その側面に１枚の長尺なフィルタ２３を貼り付ける作業は困難となる。本実施形態によれば、フィルタ本体部２２が小型であっても、その側面にフィルタ２３を小分けしながら貼り付けることができ、フィルタ２３の貼り付け作業を容易にすることができる。
【００２６】
また、図７に例示するフィルタ本体部６２は、その外形が多角形状となっている。このように、フィルタ本体部が円形状ではなく、例えば多角形状など複雑な形状をなしている場合においても、その側面に１枚の長尺なフィルタ２３を貼り付ける作業は困難となる。本実施形態によれば、このような場合にも、フィルタ２３を小分けしながら貼り付けることができ、貼り付け作業を容易にすることができる。なお、フィルタ本体部が複雑な形状をなしている場合、少なくともフィルタ２３が貼り付けられる側面は曲面とするとよい。また、通気孔２２ａは、フィルタ２３が貼り付けられる部分にのみ設ける構成とするとよい。
【００２７】
また、図示はしないが、フィルタ本体部２２の近傍に別の部品や配線が存在している場合などにおいても、その側面に１枚の長尺なフィルタ２３を貼り付ける作業は困難となる。本実施形態によれば、このような場合にも、フィルタ２３を小分けしながら貼り付けることができ、貼り付け作業を容易にすることができる。
なお、フィルタ本体部の側面に取り付けるフィルタ２３の数は、２枚に限られるものではなく、例えばフィルタ本体部の大きさや形状などに応じて、３枚以上の複数枚としてもよい。
【００２８】
（その他の実施形態）
なお、本発明は、上述した実施形態に限定されるものではなく、その要旨を逸脱しない範囲で種々の実施形態に適用可能である。
通気孔２２ａの形状は、矩形状に限られず、例えば円形状などであってもよい。また、通気孔２２ａは、フィルタ本体部２２の周方向に沿って不等間隔で配列されていてもよい。また、上述の複数の実施形態を組み合わせて実施してもよい。また、本発明は、例えば車両に搭載される電子装置類のみならず、車両以外のものに搭載される装置類にも適用することができる。
【符号の説明】
【００２９】
図面中、１０は電子装置、１２はフィルタ装置、２１は連通部、２２はフィルタ本体部、２２ａは通気孔、２３はフィルタ、４１は保護部材を示す。
【図１】
2017101793.tif 000003
【図２】
2017101793.tif 000004
【図３】
2017101793.tif 000005
【図４】
2017101793.tif 000006
【図５】
2017101793.tif 000007
【図６】
2017101793.tif 000008
【図７】
2017101793.tif 000009